(57)【要約】      （修正有）【課題】全閉位置学習時に、スロットル弁が全閉位置で固着するのを防止する。【解決手段】エンジン停止時の冷却水温度が予め設定された所定温度よりも低い場合には、スロットル弁６の全閉位置の学習を実施しない。エンジン１の吸気通路２内では、エンジン側からの吹き返しガス（ブローバイガス、未燃ガス、既燃ガス）や、エアクリーナ７を抜けてきた微粒子等によって、温度が低いと粘度が高くなるデポジットが生成されるが、デポジットの粘度が高い場合には、スロットル弁６の全閉位置学習が禁止されるため、デポジットのかみこみによりスロットル弁６が固着してしまうことを抑制することができる。【選択図】図１
2010168900.tif 000002
【特許請求の範囲】
【請求項１】
エンジンの吸気通路に設けられたスロットル弁と、前記スロットル弁の開度を検知するスロットルセンサと、前記エンジンの冷却水温度を検知する水温センサと、を備え、エンジン停止時に前記スロットル弁の全閉位置の学習を実施するエンジンの制御装置において、
エンジン停止時の冷却水温度が予め設定された所定温度よりも低い場合には、前記スロットル弁の全閉位置の学習を実施しないことを特徴とするエンジンの制御装置。
【請求項２】
前記エンジンを駆動源とする車両の走行距離を検知する走行距離検知手段を有し、エンジン停止時に、車両の総走行距離が予め設定された所定距離以下の場合には、冷却水温度に関わらず、前記スロットル弁の全閉位置の学習を実施することを特徴とする請求項１に記載のエンジンの制御装置。
【請求項３】
前記スロットル弁の全閉位置の学習が予め設定された所定回数連続して実施されなかった場合には、次回のエンジン停止時に、冷却水温度に関わらず前記スロットル弁の全閉位置の学習を実施することを特徴とする請求項１または２に記載のエンジンの制御装置。
【請求項４】
前記エンジンの総運転時間を検知する運転時間検知手段を有し、エンジン停止時に、前記エンジンの総運転時間が予め設定された所定時間以下の場合には、冷却水温度に関わらず、前記スロットル弁の全閉位置の学習を実施することを特徴とする請求項１〜３のいずれかに記載のエンジンの制御装置。
【請求項５】
前記エンジンのアイドル運転時には、前記エンジンの回転速度が所定の目標アイドル回転速度となるように吸入空気量をフィードバック制御するアイドル回転速度制御を行うものであって、前記目標アイドル回転速度が得られるときの吸入空気量の制御値をアイドル吸入空気量学習値として学習するアイドル吸入空気量学習手段を有し、
エンジン停止時に、現在のアイドル吸入空気量学習値が予め設定された所定値よりも小さい場合には、冷却水温度に関わらず、前記スロットル弁の全閉位置の学習を実施することを特徴とする請求項１〜４のいずれかに記載のエンジンの制御装置。
【請求項６】
吸気通路内でデポジットを生成しにくい運転条件であれば、エンジン停止時に、冷却水温度に関わらず、前記スロットル弁の全閉位置の学習を実施することを特徴とする請求項１〜５のいずれかに記載のエンジンの制御装置
【請求項７】
エンジン回転速度と燃料噴射量を用いてデポジットを生成しにくい運転条件であるか否かを判定することを特徴とする請求項６に記載のエンジンの制御装置。
【請求項８】
排気通路を流れる排気の一部を吸気通路に還流する排気還流手段と、前記排気還流手段を介して前記吸気通路に還流された排気還流量を検知する排気還流量検知手段と、を有し、
前記排気還流量の積算値が予め設定された所定値以下の場合には、エンジン停止前の運転条件が吸気通路内でデポジットを生成しにくい運転条件であったと判定することを特徴とする請求項６に記載のエンジンの制御装置。
【発明の詳細な説明】
【技術分野】
【０００１】
本発明は、エンジンの制御装置に関する。
【背景技術】
【０００２】
例えば、特許文献１には、機関始動時に、エンジンの前回の停止時と今回の始動時とにおける冷却水温の差分が所定値以下であれば、スロットル開度センサの出力特性に変化がないものとみなし、スロットル弁の全閉位置学習を禁止するようにした技術が開示されている。
【０００３】
このような特許文献１においては、スロットル弁の開閉制御における基準位置の学習回数を減らすことで、学習の信頼性を維持しつつ機械系の耐久性を向上させ、消費電力の抑制を実現することができる。
【０００４】
また、吸気通路内では、エンジン側からの吹き返しガス（ブローバイガス、未燃ガス、既燃ガス）や、エアクリーナを抜けてきた微粒子等によって、デポジットが生成される。このようなデポジットは、温度が低いと粘度が高くなることが知られている。
【先行技術文献】
【特許文献】
【０００５】
【特許文献１】特開２００３−１３８９７１号公報
【発明の概要】
【発明が解決しようとする課題】
【０００６】
しかしながら、この特許文献１においては、冷却水温の高低でスロットル弁の全閉位置学習の実施の可否を決定しておらず、全閉位置学習時に、デポジットがスロットル弁にかみこみやすいか否かについて何ら考慮されていない。すなわち、この特許文献１においては、デポジッドの粘度が高い状態でスロットル弁の全閉位置の学習が行われる可能性があり、スロットル弁がデポジットにかみこみ、全閉位置で固着してしまう虞がある。
【課題を解決するための手段】
【０００７】
そこで、本発明は、エンジン停止時の冷却水温度が予め設定された所定温度よりも低い場合には、スロットル弁の全閉位置の学習を実施しないことを特徴としていることを特徴としている。
【発明の効果】
【０００８】
エンジンの吸気通路内では、エンジン側からの吹き返しガス（ブローバイガス、未燃ガス、既燃ガス）や、エアクリーナを抜けてきた微粒子等によって、温度が低いと粘度が高くなるデポジットが生成されるが、本発明によれば、デポジットの粘度が高い場合には、スロットル弁の全閉位置学習が禁止されるため、前記デポジットのかみこみによりスロットル弁が固着してしまうことを抑制することができる。
【図面の簡単な説明】
【０００９】
【図１】本発明に係るエンジンの制御装置の概略構成を模式的に示した説明図
【図２】本発明の第１実施形態におけるスロットル弁の全閉位置学習に関する制御の流れを示すフローチャート
【図３】ブローバイガスの流量が大となる運転領域とＥＧＲ量が大となる運転領域とを模式的に示した説明図。
【図４】本発明の第２実施形態におけるスロットル弁の全閉位置学習に関する制御の流れを示すフローチャート
【発明を実施するための形態】
【００１０】
以下、本発明の一実施形態を図面に基づいて詳細に説明する。
【００１１】
図１は、本発明に係るエンジンの制御装置の概略構成を模式的に示した説明図である。
【００１２】
駆動源として車両に搭載されたエンジン１には、吸気通路２と排気通路３とが接続されている。吸気通路２には、エンジンコントロールユニット（ＥＣＵ）４からの制御信号によりアクチュエータ５を介して開度制御される電子制御スロットル弁（以下、スロットル弁と記す）６が配置されている。このスロットル弁６の上流側には、エアクリーナ７が配置されている。排気通路３には、排気浄化用の触媒コンバータ８が配置されている。
【００１３】
そして、吸気通路２と排気通路３とには、ＥＧＲ弁９が介装されたＥＧＲ通路１０が接続されている。ＥＧＲ通路１０は、一端がスロットル弁６の下流側で吸気通路２に接続され、他端が触媒コンバータ８の上流側で排気通路３に接続されている。ＥＧＲ弁９は、例えば、ステップモータを用いた電子制御式のものであり、ＥＣＵ４からの制御信号によりその開度が制御されている。つまり、このＥＧＲ弁９の開度を制御することで、吸気側に還流する排気の量（排気還流量）、すなわち、エンジン１に吸入されるＥＧＲ量を制御する。
【００１４】
ＥＣＵ４は、ＣＰＵ、ＲＯＭ、ＲＡＭ、Ａ／Ｄ変換器及び入出力インターフェース等を含んで構成されるマイクロコンピュータを備えている。このＥＣＵ４には、スロットル弁６のスロットル開度を検知するスロットルセンサ１１、エンジンの冷却水温度を検知する水温センサ１２、エンジンの回転速度を検知するクランク角センサ１３、運転者によるアクセルペダル踏み込み量を検知するアクセル開度センサ１４等の各種センサから信号が入力されている。また、このＥＣＵ４には、図示せぬ車輪の回転を検知する車輪回転センサ１５からの信号が入力され、この信号を基に走行距離を積算し、記憶することが可能となっている。そして、ＥＣＵ４は、これらの入力信号により検出される運転条件に応じて、エンジン１を制御する。
【００１５】
ＥＣＵ４は、アイドル運転時には、エンジン回転速度が所定の目標アイドル回転速度となるように吸入空気量をフィードバック制御するアイドル回転速度制御を実施する。アイドル回転速度制御の実施中には、目標アイドル回転速度が得られる吸入空気量の制御値、すなわち目標アイドル回転速度が得られるスロットル弁６の制御指令値を、アイドル吸入空気量学習値として学習し、ＥＣＵ４内のＲＡＭに記憶している。
【００１６】
そして、ＥＣＵ４は、エンジン停止時に所定の条件が成立すると、スロットル弁６を全閉位置まで強制的に制御し、このときのスロットルセンサ１１の出力値をスロットル弁６の全閉位置として学習する。
【００１７】
詳述すると、吸気通路２内では、エンジン側からの吹き返しガス（ブローバイガス、未燃ガス、既燃ガス）や、エアクリーナ７をすり抜けてきた微粒子等によって、デポジットが生成される場合がある。このようなデポジットは、温度が低いと粘度が高くなるため、デポジットの粘度が高い状況でスロットル弁６の全閉位置学習を実施すると、デポジットのかみこみによりスロットル弁６が固着してしまう虞がある。また、エンジン停止時に冷却水温度が低い場合、前回のトリップからあまり走行していないと考えられるため、改めてスロットル弁６の全閉位置を学習する必要性も小さいと考えられる。
【００１８】
そこで、エンジン停止時に、冷却水温度が予め設定された所定温度（例えば５０℃）よりも低い場合には、スロットル弁６の全閉位置学習を実施しない。換言すれば、エンジン停止時に、冷却水温度が予め設定された所定温度（例えば５０℃）以上の場合には、スロットル弁６の全閉位置学習を実施する。
【００１９】
これによって、デポジットの粘度が高い場合には、スロットル弁６の全閉位置学習が禁止されるため、前記デポジットのかみこみによりスロットル弁６が固着してしまうことを抑制することができる。
【００２０】
そして、アイドル吸入空気量学習値が大きいほど、スロットル弁６の開度は大きくなる。つまり、アイドル吸入空気量学習値が大きくなるほどスロットル弁位置におけるデポジットの付着量が多いと考えられ、アイドル吸入空気量学習値が小さくなるほどスロットル弁位置におけるデポジットの付着量が少ないと考えられる。
【００２１】
そこで、エンジン停止時に、アイドル吸入空気量学習値が予め設定された所定値よりも小さい場合には、冷却水温度が予め設定された所定温度（例えば５０℃）よりも低い場合であっても、スロットル弁位置におけるデポジットの付着量が少ないと考え、スロットル弁６の全閉位置学習を実施する。これによって、スロットル弁６の全閉位置の学習頻度低下を防止することができる。
【００２２】
また、エンジン１の初期状態では、エンジン１の吸気通路２内にデポジットが生成されにくく、吸気通路２のデポジットの量も少ない。これは、吸気通路２内にデポジットが付着し始めることで、デポジットの付着の速度が早くなる傾向があることや、油（ブローバイガス中の潤滑油等）の劣化によって吸気通路２内にデポジットが付着し易くなる（油がカーボン成分を含むと特に付着し易くなる）傾向があるからである。
【００２３】
そこで、エンジン停止時に、エンジン１を駆動源とする車両の総走行距離が予め設定された所定距離（例えば１万ｋｍ）以下の場合には、冷却水温度及びアイドル吸入空気量学習値の値に関わらず、スロットル弁位置におけるデポジットの付着量が少ないと考え、スロットル弁６の全閉位置学習を実施する。これによって、スロットル弁６の全閉位置の学習頻度低下を防止することができる。
【００２４】
さらに、エンジン停止時に、スロットル弁６の全閉位置学習が予め設定された所定回数連続して実施されなかった場合には、次回のエンジン停止時に、スロットル弁６の全閉位置学習を無条件で必ず実施する。これによって、スロットル弁６の全閉位置の学習頻度低下を防止することができる。
【００２５】
図２は、上述した第１実施形態におけるスロットル弁６の全閉位置学習に関する制御の流れを示すフローチャートである。
【００２６】
ステップ（以下、Ｓと記す）１１では、運転者がエンジンキーを操作しエンジンキーオフとなったか否かを判定し、エンジキーオフと判定されエンジンが停止した場合にはＳ１２へ進み、そうでない場合は、今回のルーチンを終了する。
【００２７】
Ｓ１２では、エンジン１が搭載された車両の総走行距離が予め設定された所定値（例えば１万ｋｍ）よりも大きいか否かを判定し、大きい場合にはＳ１３へ進み、そうでない場合はＳ１８へ進む。
【００２８】
Ｓ１３では、冷却水温度が予め設定された所定値（例えば５０℃）よりも小さいか否かを判定し、小さい場合にはＳ１４へ進み、そうでない場合はＳ１８へ進む。
【００２９】
Ｓ１４では、アイドル吸入空気量学習値が所定値以上であるか否かを判定し、所定値以上である場合にはＳ１５へ進み、そうでない場合はＳ１８へ進む。
【００３０】
Ｓ１５ではスロットル弁６の全閉位置学習不成立カウンタ（ＬＮＣ）が予め設定された所定回数よりも小さいか否かを判定し、小さい場合はＳ１６へ進み、そうでない場合はＳ１８へ進む。すなわちスロットル弁６の全閉位置学習が予め設定された所定回数連続して実施されていない場合には、Ｓ１８へ進み、そうでない場合はＳ１６へ進む。
【００３１】
Ｓ１６では、スロットル弁６の全閉位置学習を実施せず、Ｓ１７へ進む。Ｓ１７では、全閉位置学習不成立カウンタ（ＬＮＣ）を１つカウントアップする。
【００３２】
Ｓ１８では、スロットル弁６の全閉位置学習を実施し、Ｓ１９へ進む。Ｓ１９では、全閉位置学習不成立カウンタ（ＬＮＣ）をリセットする。
【００３３】
以下、本発明の他の実施形態について説明するが、上述した第１実施形態と同一の構成要素については、同一の符号を付し、重複する説明を省略する。
【００３４】
次に、本発明の第２実施形態について説明する。この第２実施形態は、上述した第１実施形態と略同一構成となっているが、スロットル弁６の全閉位置の学習頻度を確保するために、アイドル吸入空気量学習値を用いた判定の代わりに、デポジットが生成しにくい運転条件であれば、冷却水温度が予め設定された所定温度（例えば５０℃）よりも低い場合であっても、スロットル弁位置におけるデポジットの付着量が少ないと考え、スロットル弁６の全閉位置学習を実施するようにしたものである。
【００３５】
ブローバイガスの流量やＥＧＲ量が多くなる運転条件では、吸気通路２内にデポジットが生成されやすい。
【００３６】
図３に示すように、高トルク（高負荷、すなわち燃料噴射量が大）の運転条件のときブローバイガスの流量は大となり、低トルク（低負荷、すあわち燃料噴射量が小）低回転の運転条件のときにＥＧＲ量は大となる。
【００３７】
そこで、この第２実施形態においては、エンジン回転速度と燃料噴射量とを用いてデポジットを生成しにくい運転条件であったか否かを判定し、エンジン停止直前の運転がデポジットを生成しにくい運転条件であったならば、冷却水温度に関わらず、スロットル弁６の全閉位置学習を実施する。つまり、エンジン回転速度と燃料噴射量とを用いて、ＥＧＲ量大となる運転条件であったか、ブローバイガス流量大となる運転条件であったかを判定する。
【００３８】
詳述すると、エンジン停止直前の運転において、ＥＧＲ量大となる運転領域からの減速回数（定義について後述）の積算値ＥＧＲＳＴＣＴに寄与度を乗じた値ＥＧＲＳＴＣＴＷと、ブローバイガス流量大となる運転領域からの減速回数（定義については後述）の積算値ＢＢＹＳＴＣＴに寄与度を乗じた値ＢＢＹＳＴＣＴＷとの和が予め設定された所定値よりも小さければ、冷却水温度に関わらず、スロットル弁６の全閉位置学習を実施する。
【００３９】
ここで、上述の減速回数は、それぞれの運転領域からアクセル全閉信号が入った場合の減速の回数を表すものとする。これは、アクセル全閉信号によりスロットル弁６が閉じられることで、エンジン１内よりも吸気通路２側の圧力低くなり、ブローバイガスやＥＧＲガス（排気ガス）のスロットル弁６に向かっての吹き返しが特に強くなり、スロットル弁６の周囲にデポジットが特に付着し易くなるため、減速回数を考慮しているのである。また、寄与度については、ＥＧＲ量の寄与度がブローバイガス流量の寄与度よりも大きくなるよう設定されている。これは、ＥＧＲ量のほうがブローバイガス流量よりも、デポジットの生成に寄与する度合が大きいからである。
【００４０】
このような第２実施形態においても、上述した第１実施形態と同様、スロットル弁６の全閉位置学習時にデポジットのかみこみによりスロットル弁６が固着してしまうことを抑制しつつ、スロットル弁６の全閉位置の学習頻度を確保することができる。
【００４１】
図４は、上述した第２実施形態におけるスロットル弁６の全閉位置学習に関する制御の流れを示すフローチャートである。
【００４２】
Ｓ２１では、運転者がエンジンキーを操作しエンジンキーオフとなったか否かを判定し、エンジキーオフと判定されエンジンが停止した場合にはＳ２２へ進み、そうでない場合は、今回のルーチンを終了する。
【００４３】
Ｓ２２では、エンジン１が搭載された車両の総走行距離が予め設定された所定値（例えば１万ｋｍ）よりも大きいか否かを判定し、大きい場合にはＳ２３へ進み、そうでない場合はＳ２８へ進む。
【００４４】
Ｓ２３では、冷却水温度が予め設定された所定値（例えば５０℃）よりも小さいか否かを判定し、小さい場合にはＳ２４へ進み、そうでない場合はＳ２８へ進む。
【００４５】
Ｓ２４では、エンジン回転速度と燃料噴射量とを用いてデポジットを生成しにくい運転条件であったか否かを判定する。詳述すると、ＥＧＲ量大となる運転領域からの減速回数の積算値ＥＧＲＳＴＣＴに寄与度を乗じた値ＥＧＲＳＴＣＴＷと、ブローバイガス流量大となる運転領域からの減速回数の積算値ＢＢＹＳＴＣＴに寄与度を乗じた値ＢＢＹＳＴＣＴＷとの和が予め設定された所定値よりも大きいか否かを判定し、大きい場合にはＳ２５へ進み、そうでない場合はＳ２８へ進む。
【００４６】
Ｓ２５ではスロットル弁６の全閉位置学習不成立カウンタ（ＬＮＣ）が予め設定された所定回数よりも小さいか否かを判定し、小さい場合はＳ２６へ進み、そうでない場合はＳ２８へ進む。すなわちスロットル弁６の全閉位置学習が予め設定された所定回数連続して実施されていない場合には、Ｓ２８へ進み、そうでない場合はＳ２６へ進む。
【００４７】
Ｓ２６では、スロットル弁６の全閉位置学習を実施せず、Ｓ２７へ進む。Ｓ２７では、全閉位置学習不成立カウンタ（ＬＮＣ）を１つカウントアップする。
【００４８】
Ｓ２８では、スロットル弁６の全閉位置学習を実施し、Ｓ２９へ進む。Ｓ２９では、全閉位置学習不成立カウンタ（ＬＮＣ）をリセットする。
【００４９】
この第２実施形態においては、積算値ＥＧＲＳＴＣＴに寄与度を乗じた値ＥＧＲＳＴＣＴＷと積算値ＢＢＹＳＴＣＴに寄与度を乗じた値ＢＢＹＳＴＣＴＷとの和を用いて、吸気通路２内にデポジットが生成されやすい運転条件であったかを判定しているが、ＥＧＲ量及びブローバイガス流量を演算して、吸気通路２内にデポジットが生成されやすい運転条件であったかを判定するようにしてもよい。ＥＧＲ量は、例えばＥＧＲ弁９の開度指令値から演算することが可能であり、ブローバイガス流量は、例えば燃料噴射量とエンジン回転速度とを用い、予めＥＣＵ４に記憶させておいたマップ等から読み出すことで演算可能である。
【００５０】
また、デポジットが生成しにくい運転条件として、ＥＧＲ量の現在までの積算値が予め設定された所定値以下の場合には、吸気通路２内でデポジットが生成されにくい運転条件であったと判定するようにすることも可能である。
【００５１】
尚、上述した第１及び第２実施形態においては、エンジン１の初期状態を判定する指標として車両の総走行距離を用いているが、車両の総走行距離に替えて、エンジン１の初期状態を判定する指標としてエンジン１の総運転時間を用いるようにしてもよい。すなわち、エンジン停止時に、エンジン１の総運転時間が予め設定された所定時間以下の場合には、冷却水温度及びアイドル吸入空気量学習値の値に関わらず、スロットル弁位置におけるデポジットの付着量が少ないと考え、スロットル弁６の全閉位置学習を実施するようにしても、スロットル弁６の全閉位置の学習頻度低下を防止することができる。ここで、エンジン１の総運転時間は、例えば、ＥＣＵ４内にタイマーを設け、ＥＣＵ４のＲＡＭに記憶させておくようにすればよい。
【００５２】
また、本発明は、上述した第１及び第２実施形態に限定されるものではなく、上述した各種の判定要素を単独で、もしくは適宜組み合わせて、スロットル弁６の全閉位置学習を許可するようにしてもよい。
【００５３】
例えば、エンジン停止時の冷却水温度のみを用いてスロットル弁６の全閉位置の学習を許可するか否かを判定するようにしてもよい。具体的には、上述の図２においてＳ１２、Ｓ１４、Ｓ１５、Ｓ１７及びＳ１９を削除した制御の流れで、スロットル弁６の全閉位置の学習を実施の可否を決定するようにしてもよい。
【００５４】
また、例えば、エンジン停止時に、冷却水温度が予め設定された所定温度（例えば５０℃）よりも低い場合には、スロットル弁６の全閉位置学習を実施しないが、エンジン停止時に、スロットル弁６の全閉位置学習が予め設定された所定回数連続して実施されなかった場合には、次回のエンジン停止時に、スロットル弁６の全閉位置学習を無条件で必ず実施するようにしてもよい。具体的には、上述の図２においてＳ１２及びＳ１４を削除した制御の流れで、スロットル弁６の全閉位置の学習を実施の可否を決定するようにしてもよい。
【００５５】
また、本発明は、一時的な車両停車時にエンジンの自動停止を行うアイドルストップ車両にも適用可能である。この場合には、アイドルストップよるエンジン停止時に、上述した各実施形態のような所定条件が成立した場合にも、スロットル弁の全閉位置学習が実施可能となる。
【００５６】
上述した実施形態から把握し得る本発明の技術的思想について、その効果とともに列記する。
【００５７】
（１）  エンジンの吸気通路に設けられたスロットル弁と、前記スロットル弁の開度を検知するスロットルセンサと、前記エンジンの冷却水温度を検知する水温センサと、を備え、エンジン停止時に前記スロットル弁の全閉位置の学習を実施するエンジンの制御装置において、エンジン停止時の冷却水温度が予め設定された所定温度よりも低い場合には、前記スロットル弁の全閉位置の学習を実施しない。エンジンの吸気通路内では、エンジン側からの吹き返しガス（ブローバイガス、未燃ガス、既燃ガス）や、エアクリーナを抜けてきた微粒子等によって、デポジットが生成される。このようなデポジットは、温度が低いと粘度が高くなる。これによって、デポジットの粘度が高い場合には、スロットル弁の全閉位置学習が禁止されるため、前記デポジットのかみこみによりスロットル弁が固着してしまうことを抑制することができる。
【００５８】
（２）  前記（１）に記載のエンジンの制御装置において、前記エンジンを駆動源とする車両の走行距離を検知する走行距離検知手段を有し、エンジン停止時に、車両の総走行距離が予め設定された所定距離以下の場合には、冷却水温度に関わらず、前記スロットル弁の全閉位置の学習を実施する。エンジンの初期状態では、エンジンの吸気通路内にデポジットが生成されにくく、デポジットの量も少ない。これによって、前記スロットル弁の全閉位置の学習頻度低下を防止することができる。
【００５９】
（３）  前記（１）または（２）に記載のエンジンの制御装置において、前記スロットル弁の全閉位置の学習が予め設定された所定回数連続して実施されなかった場合には、次回のエンジン停止時に、冷却水温度に関わらず前記スロットル弁の全閉位置の学習を実施する。これによって、前記スロットル弁の全閉位置の学習頻度低下を防止することができる。
【００６０】
（４）  前記（１）〜（３）のいずれかに記載のエンジンの制御装置において、前記エンジンの総運転時間を検知する運転時間検知手段を有し、エンジン停止時に、前記エンジンの総運転時間が予め設定された所定時間以下の場合には、冷却水温度に関わらず、前記スロットル弁の全閉位置の学習を実施する。エンジンの初期状態では、エンジンの吸気通路内にデポジットが生成されにくく、デポジットの量も少ない。これによって、前記スロットル弁の全閉位置の学習頻度低下を防止することができる。
【００６１】
（５）  前記（１）〜（４）のいずれかに記載のエンジンの制御装置において、前記エンジンのアイドル運転時には、前記エンジンの回転速度が所定の目標アイドル回転速度となるように吸入空気量をフィードバック制御するアイドル回転速度制御を行うものであって、前記目標アイドル回転速度が得られるときの吸入空気量の制御値をアイドル吸入空気量学習値として学習するアイドル吸入空気量学習手段を有し、エンジン停止時に、現在のアイドル吸入空気量学習値が予め設定された所定値よりも小さい場合には、冷却水温度に関わらず、前記スロットル弁の全閉位置の学習を実施する。アイドル吸入空気量学習値が大きいほど、スロットル弁の開度は大きくなる。つまり、アイドル吸入空気量学習値が大きくなるほど、スロットル弁位置におけるデポジットの付着量が多いと考えられる。これによって、前記スロットル弁の全閉位置の学習頻度低下を防止することができる。
【００６２】
（６）  前記（１）〜（５）のいずれかに記載のエンジンの制御装置において、吸気通路内でデポジットを生成しにくい運転条件であれば、エンジン停止時に、冷却水温度に関わらず、前記スロットル弁の全閉位置の学習を実施する。これによって、前記スロットル弁の全閉位置の学習頻度低下を防止することができる。
【００６３】
（７）  前記（６）に記載のエンジンの制御装置は、具体的には、エンジン回転速度と燃料噴射量を用いてデポジットを生成しにくい運転条件であるか否かを判定する。
【００６４】
（８）  前記（６）に記載のエンジンの制御装置は、具体的には、排気通路を流れる排気の一部を吸気通路に還流する排気還流手段と、前記排気還流手段を介して前記吸気通路に還流された排気還流量を検知する排気還流量検知手段と、を有し、前記排気還流量の積算値が予め設定された所定値以下の場合には、エンジン停止前の運転条件が吸気通路内でデポジットを生成しにくい運転条件であったと判定する。
【符号の説明】
【００６５】
１…エンジン
２…吸気通路
３…排気通路
４…ＥＣＵ
５…アクチュエータ
６…電子制御スロットル弁
８…触媒コンバータ
９…ＥＧＲ弁
１０…ＥＧＲ通路
【図１】
2010168900.tif 000003
【図２】
2010168900.tif 000004
【図３】
2010168900.tif 000005
【図４】
2010168900.tif 000006